(57)【要約】【課題】ネットワークを介して取得するコンテンツデータを、ユーザの操作に遅延なく速やかに利用する。【解決手段】  ブラウザ２３は、ショップサーバ７１に接続し、コンテンツの取得に関する画面を表示させる。コンテンツ再生部２４は、コンテンツサーバ７５からダウンロードされコンテンツ記憶部２７に保持されているコンテンツを再生する。DRMクライアント２６は、コンテンツを再生するために必要なライセンスに関するDRM処理を行う。ダウンロード（ＤＬ）エージェント３０は、指定された時刻に、コンテンツサーバ７５からコンテンツをダウンロードしてコンテンツ記憶部２７に記憶させる。また、ダウンロードエージェント３０は、指定された時刻に、メタデータＤＢ７３から、ダウンロードしているコンテンツに関するメタデータを取得してクライアントメタデータＤＢ２９に保持させる。本発明は、テレビジョン受像機等に適用することができる。【選択図】図２
2005159930.tif 000002
【特許請求の範囲】
【請求項１】
ネットワークを介して相互に接続されたサーバとコンテンツ処理装置から構成されるコンテンツ配信システムにおいて、
前記サーバは、
前記ネットワークを介して前記コンテンツ処理装置のユーザとコンテンツの供給を契約し、契約内容を特定できる契約ＩＤを発行する契約手段と、
前記契約ＩＤと、前記コンテンツ処理装置に配信すべきコンテンツに関するメタデータの取得先を示すメタデータ位置情報とを、前記ネットワークを介して前記コンテンツ処理装置に通知する通知手段と、
前記メタデータ位置情報に基づく前記コンテンツ処理装置からの取得要求に対応して、前記コンテンツ処理装置に配信すべきコンテンツに関するメタデータを、前記ネットワークを介して前記コンテンツ処理装置に供給する第１の供給手段と、
前記メタデータの中に含まれるダウンロード指定タイミングにおける前記コンテンツ処理装置からの取得要求に対応して、前記契約ＩＤに対応するコンテンツと前記メタデータの更新分とを、前記ネットワークを介して前記コンテンツ処理装置に供給する第２の供給手段と
を含み、
前記コンテンツ処理装置は、
前記サーバから通知された前記メタデータ位置情報に基づき、前記サーバから取得すべきコンテンツに関するメタデータを、前記ネットワークを介して前記サーバに要求する第１の要求手段と、
前記第１の要求手段による要求に対応して前記サーバから供給された前記メタデータに基づき、前記メタデータの中に含まれる前記ダウンロード指定タイミングにおいて、取得すべきコンテンツと前記メタデータの更新分とを、前記ネットワークを介して前記サーバに要求する第２の要求手段と、
前記第２の要求手段による要求に対応して前記サーバから供給されたコンテンツを、前記メタデータの中に含まれる記録位置指定情報に対応するディレクトリに保持する保持手段と
を含む
ことを特徴とするコンテンツ配信システム。
【請求項２】
ネットワークを介して相互に接続されたサーバとコンテンツ処理装置から構成されるコンテンツ配信システムのコンテンツ配信方法において、
前記サーバにおける、前記ネットワークを介して前記コンテンツ処理装置のユーザとコンテンツの供給を契約し、契約内容を特定できる契約ＩＤを発行する契約ステップと、
前記サーバにおける、前記契約ＩＤと、前記コンテンツ処理装置に配信すべきコンテンツに関するメタデータの取得先を示すメタデータ位置情報とを、前記ネットワークを介して前記コンテンツ処理装置に通知する通知ステップと、
前記コンテンツ処理装置における、前記サーバから通知された前記メタデータ位置情報に基づき、前記サーバから取得すべきコンテンツに関するメタデータを、前記ネットワークを介して前記サーバに要求する第１の要求ステップと、
前記サーバにおける、前記コンテンツ処理装置からの要求に対応して、前記コンテンツ処理装置に配信すべきコンテンツに関するメタデータを、前記ネットワークを介して前記コンテンツ処理装置に供給する第１の供給ステップと、
前記コンテンツ処理装置における、前記サーバから供給された前記メタデータの中に含まれるダウンロード指定タイミングにおいて、取得すべきコンテンツと前記メタデータの更新分とを、前記ネットワークを介して前記サーバに要求する第２の要求ステップと、
前記サーバにおける、前記コンテンツ処理装置からの要求に対応して、前記契約ＩＤに対応するコンテンツと前記メタデータの更新分とを、前記ネットワークを介して前記コンテンツ処理装置に供給する第２の供給ステップと、
前記コンテンツ処理装置における、前記サーバから供給されたコンテンツを、前記メタデータの中に含まれる記録位置指定情報に対応するディレクトリに保持する保持ステップと
を含むことを特徴とするコンテンツ配信方法。
【請求項３】
ネットワークを介してサーバから供給されたコンテンツを処理するコンテンツ処理装置において、
コンテンツの供給に関する契約を行うために、前記ネットワークを介して前記サーバに接続する接続手段と、
前記ネットワークを介して前記サーバから、コンテンツの供給に関する契約内容を特定する契約ＩＤと、前記サーバから取得すべきコンテンツに関するメタデータの取得先を示すメタデータ位置情報とを受信する受信手段と、
前記受信手段によって受信された前記メタデータ位置情報に基づき、前記サーバから取得すべきコンテンツに関するメタデータを、前記ネットワークを介して前記サーバから取得する第１の取得手段と、
前記第１の取得手段によって前記サーバから取得された前記メタデータの中に含まれるダウンロード指定タイミングにおいて、取得すべきコンテンツと前記メタデータの更新分とを、前記ネットワークを介して前記サーバから取得する第２の取得手段と、
前記第２の取得手段によって前記サーバから取得されたコンテンツを保持する保持手段と
を含むことを特徴とするコンテンツ処理装置。
【請求項４】
前記ダウンロード指定タイミングは、前記サーバに対して複数の前記コンテンツ処理装置からアクセスが分散するように設定されている
ことを特徴とする請求項３に記載のコンテンツ処理装置。
【請求項５】
前記保持手段は、前記第１の取得手段によって前記サーバから取得された前記メタデータの中に含まれる記録位置指定情報に対応するディレクトリに、前記第２の取得手段によって前記サーバから取得されたコンテンツを保持する
ことを特徴とする請求項３に記載のコンテンツ処理装置。
【請求項６】
コンテンツの供給に関する前記契約は、不特定のコンテンツを供給対象とするサブスクリプション契約である
ことを特徴とする請求項３に記載のコンテンツ処理装置。
【請求項７】
前記サブスクリプション契約は、月極契約である
ことを特徴とする請求項６に記載のコンテンツ処理装置。
【請求項８】
前記受信手段は、前記ネットワークを介して前記サーバから、前記契約ＩＤに対応する、取得すべきコンテンツを利用するために必要なライセンスを特定するライセンスＩＤが記載されたライセンスＩＤリストと、前記ライセンスＩＤリストに記載されたライセンスＩＤに対応するライセンスの取得先を示すライセンス位置情報も受信し、
前記受信手段によって受信された前記ライセンスリストおよび前記ライセンス位置情報に基づき、前記サーバから取得すべきコンテンツを利用するために必要なライセンスを、前記ネットワークを介して前記サーバから取得する第３の取得手段をさらに含む
ことを特徴とする請求項３に記載のコンテンツ処理装置。
【請求項９】
ネットワークを介してサーバから供給されたコンテンツを処理するコンテンツ処理方法において、
コンテンツの供給に関する契約を行うために、前記ネットワークを介して前記サーバに接続する接続ステップと、
前記ネットワークを介して前記サーバから、コンテンツの供給に関する契約内容を特定する契約ＩＤと、前記サーバから取得すべきコンテンツに関するメタデータの取得先を示すメタデータ位置情報とを受信する受信ステップと、
前記受信ステップの処理で受信された前記メタデータ位置情報に基づき、前記サーバから取得すべきコンテンツに関するメタデータを、前記ネットワークを介して前記サーバから取得する第１の取得ステップと、
前記第１の取得ステップの処理で前記サーバから取得された前記メタデータの中に含まれるダウンロード指定タイミングにおいて、取得すべきコンテンツと前記メタデータの更新分とを、前記ネットワークを介して前記サーバから取得する第２の取得ステップと、
前記第２の取得ステップの処理で前記サーバから取得されたコンテンツを保持する保持ステップと
を含むことを特徴とするコンテンツ処理方法。
【請求項１０】
ネットワークを介してサーバから供給されたコンテンツを処理するためのプログラムであって、
コンテンツの供給に関する契約を行うために、前記ネットワークを介して前記サーバに接続する接続ステップと、
前記ネットワークを介して前記サーバから、コンテンツの供給に関する契約内容を特定する契約ＩＤと、前記サーバから取得すべきコンテンツに関するメタデータの取得先を示すメタデータ位置情報とを受信する受信ステップと、
前記受信ステップの処理で受信された前記メタデータ位置情報に基づき、前記サーバから取得すべきコンテンツに関するメタデータを、前記ネットワークを介して前記サーバから取得する第１の取得ステップと、
前記第１の取得ステップの処理で前記サーバから取得された前記メタデータの中に含まれるダウンロード指定タイミングにおいて、取得すべきコンテンツと前記メタデータの更新分とを、前記ネットワークを介して前記サーバから取得する第２の取得ステップと、
前記第２の取得ステップの処理で前記サーバから取得されたコンテンツを保持する保持ステップと
を含むことを特徴とするコンピュータが読み取り可能なプログラムが記録されている記録媒体。
【請求項１１】
ネットワークを介してサーバから供給されたコンテンツを処理するためのプログラムであって、
コンテンツの供給に関する契約を行うために、前記ネットワークを介して前記サーバに接続する接続ステップと、
前記ネットワークを介して前記サーバから、コンテンツの供給に関する契約内容を特定する契約ＩＤと、前記サーバから取得すべきコンテンツに関するメタデータの取得先を示すメタデータ位置情報とを受信する受信ステップと、
前記受信ステップの処理で受信された前記メタデータ位置情報に基づき、前記サーバから取得すべきコンテンツに関するメタデータを、前記ネットワークを介して前記サーバから取得する第１の取得ステップと、
前記第１の取得ステップの処理で前記サーバから取得された前記メタデータの中に含まれるダウンロード指定タイミングにおいて、取得すべきコンテンツと前記メタデータの更新分とを、前記ネットワークを介して前記サーバから取得する第２の取得ステップと、
前記第２の取得ステップの処理で前記サーバから取得されたコンテンツを保持する保持ステップと
を含む処理をコンピュータに実行させることを特徴とするプログラム。
【請求項１２】
ネットワークを介してコンテンツ処理装置にコンテンツを供給するコンテンツ供給装置において、
前記ネットワークを介して前記コンテンツ処理装置のユーザとコンテンツの供給を契約し、契約内容を特定できる契約ＩＤを発行する契約手段と、
前記契約ＩＤと、前記コンテンツ処理装置に配信すべきコンテンツに関するメタデータの取得先を示すメタデータ位置情報とを、前記ネットワークを介して前記コンテンツ処理装置に通知する通知手段と、
前記メタデータ位置情報に基づく前記コンテンツ処理装置からの取得要求に対応して、前記コンテンツ処理装置に配信すべきコンテンツに関するメタデータを、前記ネットワークを介して前記コンテンツ処理装置に供給する第１の供給手段と、
前記メタデータの中に含まれるダウンロード指定タイミングにおける前記コンテンツ処理装置からの取得要求に対応して、前記契約ＩＤに対応するコンテンツと前記メタデータの更新分とを、前記ネットワークを介して前記コンテンツ処理装置に供給する第２の供給手段と
を含むことを特徴とするコンテンツ供給装置。
【請求項１３】
前記ダウンロード指定タイミングは、前記コンテンツ供給装置に対して複数の前記コンテンツ処理装置からアクセスが分散するように設定されている
ことを特徴とする請求項１２に記載のコンテンツ供給装置。
【請求項１４】
前記第１の供給手段は、前記第２の供給手段によって前記コンテンツ処理装置に供給するコンテンツの記録位置指定情報を含む前記メタデータを、前記ネットワークを介して前記コンテンツ処理装置に供給する
ことを特徴とする請求項１２に記載のコンテンツ供給装置。
【請求項１５】
前記契約手段は、前記ネットワークを介して前記コンテンツ処理装置のユーザと、不特定のコンテンツを供給対象とするサブスクリプション契約を行い、契約内容を特定できる契約ＩＤを発行する
ことを特徴とする請求項１２に記載のコンテンツ供給装置。
【請求項１６】
前記サブスクリプション契約は、月極契約である
ことを特徴とする請求項１５に記載のコンテンツ供給装置。
【請求項１７】
前記通知手段は、前記契約ＩＤに対応する、供給すべきコンテンツを利用するために必要なライセンスを特定するライセンスＩＤが記載されたライセンスＩＤリストと、前記ライセンスＩＤリストに記載されたライセンスＩＤに対応するライセンスの取得先を示すライセンス位置情報も、前記ネットワークを介して前記コンテンツ処理装置に通知し、
前記ライセンスリストおよび前記ライセンス位置情報に基づく前記コンテンツ処理装置からの取得要求に対応して、前記コンテンツ処理装置に配信すべきコンテンツを利用するために必要なライセンスを、前記ネットワークを介して前記コンテンツ処理装置に供給する第３の供給手段をさらに含む
ことを特徴とする請求項１２に記載のコンテンツ供給装置。
【請求項１８】
ネットワークを介してコンテンツ処理装置にコンテンツを供給するコンテンツ供給方法において、
前記ネットワークを介して前記コンテンツ処理装置のユーザとコンテンツの供給を契約し、契約内容を特定できる契約ＩＤを発行する契約ステップと、
前記契約ＩＤと、前記コンテンツ処理装置に配信すべきコンテンツに関するメタデータの取得先を示すメタデータ位置情報とを、前記ネットワークを介して前記コンテンツ処理装置に通知する通知ステップと、
前記メタデータ位置情報に基づく前記コンテンツ処理装置からの取得要求に対応して、前記コンテンツ処理装置に配信すべきコンテンツに関するメタデータを、前記ネットワークを介して前記コンテンツ処理装置に供給する第１の供給ステップと、
前記メタデータの中に含まれるダウンロード指定タイミングにおける前記コンテンツ処理装置からの取得要求に対応して、前記契約ＩＤに対応するコンテンツと前記メタデータの更新分とを、前記ネットワークを介して前記コンテンツ処理装置に供給する第２の供給ステップと
を含むことを特徴とするコンテンツ供給方法。
【請求項１９】
ネットワークを介してコンテンツ処理装置にコンテンツを供給するためのプログラムであって、
前記ネットワークを介して前記コンテンツ処理装置のユーザとコンテンツの供給を契約し、契約内容を特定できる契約ＩＤを発行する契約ステップと、
前記契約ＩＤと、前記コンテンツ処理装置に配信すべきコンテンツに関するメタデータの取得先を示すメタデータ位置情報とを、前記ネットワークを介して前記コンテンツ処理装置に通知する通知ステップと、
前記メタデータ位置情報に基づく前記コンテンツ処理装置からの取得要求に対応して、前記コンテンツ処理装置に配信すべきコンテンツに関するメタデータを、前記ネットワークを介して前記コンテンツ処理装置に供給する第１の供給ステップと、
前記メタデータの中に含まれるダウンロード指定タイミングにおける前記コンテンツ処理装置からの取得要求に対応して、前記契約ＩＤに対応するコンテンツと前記メタデータの更新分とを、前記ネットワークを介して前記コンテンツ処理装置に供給する第２の供給ステップと
を含むことを特徴とするコンピュータが読み取り可能なプログラムが記録されている記録媒体。
【請求項２０】
ネットワークを介してコンテンツ処理装置にコンテンツを供給するためのプログラムであって、
前記ネットワークを介して前記コンテンツ処理装置のユーザとコンテンツの供給を契約し、契約内容を特定できる契約ＩＤを発行する契約ステップと、
前記契約ＩＤと、前記コンテンツ処理装置に配信すべきコンテンツに関するメタデータの取得先を示すメタデータ位置情報とを、前記ネットワークを介して前記コンテンツ処理装置に通知する通知ステップと、
前記メタデータ位置情報に基づく前記コンテンツ処理装置からの取得要求に対応して、前記コンテンツ処理装置に配信すべきコンテンツに関するメタデータを、前記ネットワークを介して前記コンテンツ処理装置に供給する第１の供給ステップと、
前記メタデータの中に含まれるダウンロード指定タイミングにおける前記コンテンツ処理装置からの取得要求に対応して、前記契約ＩＤに対応するコンテンツと前記メタデータの更新分とを、前記ネットワークを介して前記コンテンツ処理装置に供給する第２の供給ステップと
を含む処理をコンピュータに実行させることを特徴とするプログラム。
【発明の詳細な説明】
【技術分野】
【０００１】
本発明は、コンテンツ配信システム、コンテンツ配信方法、コンテンツ処理装置および方法、コンテンツ供給装置および方法、記録媒体、並びにプログラムに関し、特に、インタネットに代表されるネットワークを介して、コンテンツを供給する場合に用いて好適なコンテンツ配信システム、コンテンツ配信方法、コンテンツ処理装置および方法、コンテンツ供給装置および方法、記録媒体、並びにプログラム
に関する。
【背景技術】
【０００２】
最近、インタネットが普及し、インタネットを介して、各種のコンテンツ（オーディオデータ、ＡＶデータ、プログラムデータ等）が配信されるようになってきた。
【０００３】
インタネットを介するコンテンツの配信方法には、ストリーミングによる配信とダウンロードによる配信がある。ストリーミングによる配信の場合、受信側では、インタネットを介して受信したデータを、リアルタイムで再生して、映像をディスプレイに表示させたり、音声をスピーカから出力させたりすることになる。
【０００４】
これに対して、ダウンロードによる配信の場合、コンテンツのファイルは、一旦、ハードディスク等に記録され、記録されたコンテンツのファイルは、ユーザ指示等に基づく任意のタイミングで再生されることになる。
【０００５】
ダウンロードによる配信の場合、インタネットの回線を比較的狭帯域しか確保できなかったり、サーバの負荷を軽減させようとしたりする場合に有効である。ただし、コンテンツの利用を所望してから実際に再生できるまでに、ダウンロードに要する時間だけ遅延してしまう欠点がある。
【０００６】
ところで、ＢＳ放送やＣＳ放送等では、放送されるコンテンツ（例えば、電子番組表情報（EPGデータ）等）を、受信装置がユーザの操作に依存せず自律的にダウンロードして保持し、ユーザからの指示に応じて、予めダウンロードし保持しているコンテンツを利用することができる、いわゆるプッシュ型ダウンロード配信が実現されている。
【０００７】
また、例えば、特許文献１には、複数の端末がサーバからデータをダウンロードするシステムにおいて、サーバに対する複数の端末からのアクセスが重複することを防止するために、各端末がサーバからデータをダウンロードするタイミング（Ｘ時Ｙ分）のうち、Ｘ時を各端末のユーザが指定し、Ｙ分をサーバがランダムに指定する発明が開示されている。
【０００８】
【特許文献１】特開２００３−２０８３７６号公報
【発明の開示】
【発明が解決しようとする課題】
【０００９】
インタネットを介するコンテンツの配信方法に、上述したプッシュ型ダウンロード配信を適用することができれば、ダウンロードによる配信の場合における上述した欠点を排除することができて有用であるが、従来、インタネットを介するコンテンツの配信方法に、上述したプッシュ型ダウンロード配信は適用されておらず、これを実現する方法も提案されていないという課題があった。
【００１０】
本発明はこのような状況に鑑みてなされたものであり、インタネットを介するコンテンツの配信方法にプッシュ型ダウンロード配信を適用することにより、所望のコンテンツデータを、ユーザの操作に対して遅延なく速やかに利用できるようにすることを目的とする。
【課題を解決するための手段】
【００１１】
本発明のコンテンツ配信システムは、サーバが、ネットワークを介してコンテンツ処理装置のユーザとコンテンツの供給を契約し、契約内容を特定できる契約ＩＤを発行する契約手段と、契約ＩＤと、コンテンツ処理装置に配信すべきコンテンツに関するメタデータの取得先を示すメタデータ位置情報とを、ネットワークを介してコンテンツ処理装置に通知する通知手段と、メタデータ位置情報に基づくコンテンツ処理装置からの取得要求に対応して、コンテンツ処理装置に配信すべきコンテンツに関するメタデータを、ネットワークを介してコンテンツ処理装置に供給する第１の供給手段と、メタデータの中に含まれるダウンロード指定タイミングにおけるコンテンツ処理装置からの取得要求に対応して、契約ＩＤに対応するコンテンツとメタデータの更新分とを、ネットワークを介してコンテンツ処理装置に供給する第２の供給手段とを含み、コンテンツ処理装置が、サーバから通知されたメタデータ位置情報に基づき、サーバから取得すべきコンテンツに関するメタデータを、ネットワークを介してサーバに要求する第１の要求手段と、第１の要求手段による要求に対応してサーバから供給されたメタデータに基づき、メタデータの中に含まれるダウンロード指定タイミングにおいて、取得すべきコンテンツとメタデータの更新分とを、ネットワークを介してサーバに要求する第２の要求手段と、第２の要求手段による要求に対応してサーバから供給されたコンテンツを、メタデータの中に含まれる記録位置指定情報に対応するディレクトリに保持する保持手段とを含むことを特徴とする。
【００１２】
本発明のコンテンツ配信方法は、サーバにおける、ネットワークを介してコンテンツ処理装置のユーザとコンテンツの供給を契約し、契約内容を特定できる契約ＩＤを発行する契約ステップと、サーバにおける、契約ＩＤと、コンテンツ処理装置に配信すべきコンテンツに関するメタデータの取得先を示すメタデータ位置情報とを、ネットワークを介してコンテンツ処理装置に通知する通知ステップと、コンテンツ処理装置における、サーバから通知されたメタデータ位置情報に基づき、サーバから取得すべきコンテンツに関するメタデータを、ネットワークを介してサーバに要求する第１の要求ステップと、サーバにおける、コンテンツ処理装置からの要求に対応して、コンテンツ処理装置に配信すべきコンテンツに関するメタデータを、ネットワークを介してコンテンツ処理装置に供給する第１の供給ステップと、コンテンツ処理装置における、サーバから供給されたメタデータの中に含まれるダウンロード指定タイミングにおいて、取得すべきコンテンツとメタデータの更新分とを、ネットワークを介してサーバに要求する第２の要求ステップと、サーバにおける、コンテンツ処理装置からの要求に対応して、契約ＩＤに対応するコンテンツとメタデータの更新分とを、ネットワークを介してコンテンツ処理装置に供給する第２の供給ステップと、コンテンツ処理装置における、サーバから供給されたコンテンツを、メタデータの中に含まれる記録位置指定情報に対応するディレクトリに保持する保持ステップとを含むことを特徴とする。
【００１３】
本発明のコンテンツ処理装置は、コンテンツの供給に関する契約を行うために、ネットワークを介してサーバに接続する接続手段と、ネットワークを介してサーバから、コンテンツの供給に関する契約内容を特定する契約ＩＤと、サーバから取得すべきコンテンツに関するメタデータの取得先を示すメタデータ位置情報とを受信する受信手段と、受信手段によって受信されたメタデータ位置情報に基づき、サーバから取得すべきコンテンツに関するメタデータを、ネットワークを介してサーバから取得する第１の取得手段と、第１の取得手段によってサーバから取得されたメタデータの中に含まれるダウンロード指定タイミングにおいて、取得すべきコンテンツとメタデータの更新分とを、ネットワークを介してサーバから取得する第２の取得手段と、第２の取得手段によってサーバから取得されたコンテンツを保持する保持手段とを含むことを特徴とする。
【００１４】
前記ダウンロード指定タイミングは、サーバに対して複数のコンテンツ処理装置からアクセスが分散するように設定されているようにすることができる。
【００１５】
前記保持手段は、第１の取得手段によってサーバから取得されたメタデータの中に含まれる記録位置指定情報に対応するディレクトリに、第２の取得手段によってサーバから取得されたコンテンツを保持するようにすることができる。
【００１６】
コンテンツの供給に関する前記契約は、不特定のコンテンツを供給対象とするサブスクリプション契約とすることができる。
【００１７】
前記サブスクリプション契約は、月極契約とすることができる。
【００１８】
前記受信手段は、ネットワークを介してサーバから、契約ＩＤに対応する、取得すべきコンテンツを利用するために必要なライセンスを特定するライセンスＩＤが記載されたライセンスＩＤリストと、ライセンスＩＤリストに記載されたライセンスＩＤに対応するライセンスの取得先を示すライセンス位置情報も受信するようにすることができる。受信手段によって受信されたライセンスリストおよびライセンス位置情報に基づき、サーバから取得すべきコンテンツを利用するために必要なライセンスを、ネットワークを介してサーバから取得する第３の取得手段をさらに含むことができる。
【００１９】
本発明のコンテンツ処理方法は、コンテンツの供給に関する契約を行うために、ネットワークを介してサーバに接続する接続ステップと、ネットワークを介してサーバから、コンテンツの供給に関する契約内容を特定する契約ＩＤと、サーバから取得すべきコンテンツに関するメタデータの取得先を示すメタデータ位置情報とを受信する受信ステップと、受信ステップの処理で受信されたメタデータ位置情報に基づき、サーバから取得すべきコンテンツに関するメタデータを、ネットワークを介してサーバから取得する第１の取得ステップと、第１の取得ステップの処理でサーバから取得されたメタデータの中に含まれるダウンロード指定タイミングにおいて、取得すべきコンテンツとメタデータの更新分とを、ネットワークを介してサーバから取得する第２の取得ステップと、第２の取得ステップの処理でサーバから取得されたコンテンツを保持する保持ステップとを含むことを特徴とする。
【００２０】
本発明の第１の記録媒体のプログラムは、コンテンツの供給に関する契約を行うために、ネットワークを介してサーバに接続する接続ステップと、ネットワークを介してサーバから、コンテンツの供給に関する契約内容を特定する契約ＩＤと、サーバから取得すべきコンテンツに関するメタデータの取得先を示すメタデータ位置情報とを受信する受信ステップと、受信ステップの処理で受信されたメタデータ位置情報に基づき、サーバから取得すべきコンテンツに関するメタデータを、ネットワークを介してサーバから取得する第１の取得ステップと、第１の取得ステップの処理でサーバから取得されたメタデータの中に含まれるダウンロード指定タイミングにおいて、取得すべきコンテンツとメタデータの更新分とを、ネットワークを介してサーバから取得する第２の取得ステップと、第２の取得ステップの処理でサーバから取得されたコンテンツを保持する保持ステップとを含むことを特徴とする。
【００２１】
本発明の第１のプログラムは、コンテンツの供給に関する契約を行うために、ネットワークを介してサーバに接続する接続ステップと、ネットワークを介してサーバから、コンテンツの供給に関する契約内容を特定する契約ＩＤと、サーバから取得すべきコンテンツに関するメタデータの取得先を示すメタデータ位置情報とを受信する受信ステップと、受信ステップの処理で受信されたメタデータ位置情報に基づき、サーバから取得すべきコンテンツに関するメタデータを、ネットワークを介してサーバから取得する第１の取得ステップと、第１の取得ステップの処理でサーバから取得されたメタデータの中に含まれるダウンロード指定タイミングにおいて、取得すべきコンテンツとメタデータの更新分とを、ネットワークを介してサーバから取得する第２の取得ステップと、第２の取得ステップの処理でサーバから取得されたコンテンツを保持する保持ステップとを含む処理をコンピュータに実行させることを特徴とする。
【００２２】
本発明のコンテンツ供給装置は、ネットワークを介してコンテンツ処理装置のユーザとコンテンツの供給を契約し、契約内容を特定できる契約ＩＤを発行する契約手段と、契約ＩＤと、コンテンツ処理装置に配信すべきコンテンツに関するメタデータの取得先を示すメタデータ位置情報とを、ネットワークを介してコンテンツ処理装置に通知する通知手段と、メタデータ位置情報に基づくコンテンツ処理装置からの取得要求に対応して、コンテンツ処理装置に配信すべきコンテンツに関するメタデータを、ネットワークを介してコンテンツ処理装置に供給する第１の供給手段と、メタデータの中に含まれるダウンロード指定タイミングにおけるコンテンツ処理装置からの取得要求に対応して、契約ＩＤに対応するコンテンツとメタデータの更新分とを、ネットワークを介してコンテンツ処理装置に供給する第２の供給手段とを含むことを特徴とする。
【００２３】
前記ダウンロード指定タイミングは、コンテンツ供給装置に対して複数のコンテンツ処理装置からアクセスが分散するように設定されているようにすることができる。
【００２４】
前記第１の供給手段は、第２の供給手段によってコンテンツ処理装置に供給するコンテンツの記録位置指定情報を含むメタデータを、ネットワークを介してコンテンツ処理装置に供給するようにすることができる。
【００２５】
前記契約手段は、ネットワークを介してコンテンツ処理装置のユーザと、不特定のコンテンツを供給対象とするサブスクリプション契約を行い、契約内容を特定できる契約ＩＤを発行するようにすることができる。
【００２６】
前記サブスクリプション契約は、月極契約とすることができる。
【００２７】
前記通知手段は、契約ＩＤに対応する、供給すべきコンテンツを利用するために必要なライセンスを特定するライセンスＩＤが記載されたライセンスＩＤリストと、ライセンスＩＤリストに記載されたライセンスＩＤに対応するライセンスの取得先を示すライセンス位置情報も、ネットワークを介してコンテンツ処理装置に通知するようにすることができる。ライセンスリストおよびライセンス位置情報に基づくコンテンツ処理装置からの取得要求に対応して、コンテンツ処理装置に配信すべきコンテンツを利用するために必要なライセンスを、ネットワークを介してコンテンツ処理装置に供給する第３の供給手段をさらに含むことができる。
【００２８】
本発明のコンテンツ供給方法は、ネットワークを介してコンテンツ処理装置のユーザとコンテンツの供給を契約し、契約内容を特定できる契約ＩＤを発行する契約ステップと、契約ＩＤと、コンテンツ処理装置に配信すべきコンテンツに関するメタデータの取得先を示すメタデータ位置情報とを、ネットワークを介してコンテンツ処理装置に通知する通知ステップと、メタデータ位置情報に基づくコンテンツ処理装置からの取得要求に対応して、コンテンツ処理装置に配信すべきコンテンツに関するメタデータを、ネットワークを介してコンテンツ処理装置に供給する第１の供給ステップと、メタデータの中に含まれるダウンロード指定タイミングにおけるコンテンツ処理装置からの取得要求に対応して、契約ＩＤに対応するコンテンツとメタデータの更新分とを、ネットワークを介してコンテンツ処理装置に供給する第２の供給ステップとを含むことを特徴とする。
【００２９】
本発明の第２の記録媒体のプログラムは、ネットワークを介してコンテンツ処理装置のユーザとコンテンツの供給を契約し、契約内容を特定できる契約ＩＤを発行する契約ステップと、契約ＩＤと、コンテンツ処理装置に配信すべきコンテンツに関するメタデータの取得先を示すメタデータ位置情報とを、ネットワークを介してコンテンツ処理装置に通知する通知ステップと、メタデータ位置情報に基づくコンテンツ処理装置からの取得要求に対応して、コンテンツ処理装置に配信すべきコンテンツに関するメタデータを、ネットワークを介してコンテンツ処理装置に供給する第１の供給ステップと、メタデータの中に含まれるダウンロード指定タイミングにおけるコンテンツ処理装置からの取得要求に対応して、契約ＩＤに対応するコンテンツとメタデータの更新分とを、ネットワークを介してコンテンツ処理装置に供給する第２の供給ステップとを含むことを特徴とする。
【００３０】
本発明の第２のプログラムは、ネットワークを介してコンテンツ処理装置のユーザとコンテンツの供給を契約し、契約内容を特定できる契約ＩＤを発行する契約ステップと、契約ＩＤと、コンテンツ処理装置に配信すべきコンテンツに関するメタデータの取得先を示すメタデータ位置情報とを、ネットワークを介してコンテンツ処理装置に通知する通知ステップと、メタデータ位置情報に基づくコンテンツ処理装置からの取得要求に対応して、コンテンツ処理装置に配信すべきコンテンツに関するメタデータを、ネットワークを介してコンテンツ処理装置に供給する第１の供給ステップと、メタデータの中に含まれるダウンロード指定タイミングにおけるコンテンツ処理装置からの取得要求に対応して、契約ＩＤに対応するコンテンツとメタデータの更新分とを、ネットワークを介してコンテンツ処理装置に供給する第２の供給ステップとを含む処理をコンピュータに実行させることを特徴とする。
【００３１】
本発明のコンテンツ配信システムおよびコンテンツ配信においては、サーバにより、契約ＩＤと、コンテンツ処理装置に配信すべきコンテンツに関するメタデータの取得先を示すメタデータ位置情報とが、ネットワークを介してコンテンツ処理装置に通知される。コンテンツ処理装置により、サーバから通知されたメタデータ位置情報に基づき、サーバから取得すべきコンテンツに関するメタデータが、ネットワークを介してサーバに要求され、、サーバにより、コンテンツ処理装置からの要求に対応して、コンテンツ処理装置に配信すべきコンテンツに関するメタデータが、ネットワークを介してコンテンツ処理装置に供給される。また、コンテンツ処理装置により、サーバから供給されたメタデータの中に含まれるダウンロード指定タイミングにおいて、取得すべきコンテンツとメタデータの更新分とが、ネットワークを介してサーバに要求され、サーバにより、コンテンツ処理装置からの要求に対応して、契約ＩＤに対応するコンテンツとメタデータの更新分とが、ネットワークを介してコンテンツ処理装置に供給される。さらに、コンテンツ処理装置により、サーバから供給されたコンテンツが、メタデータの中に含まれる記録位置指定情報に対応するディレクトリに保持される。
【００３２】
本発明のコンテンツ処理装置および方法、並びにプログラムにおいては、サーバからのメタデータ位置情報に基づき、サーバから取得すべきコンテンツに関するメタデータが、ネットワークを介してサーバから取得され、取得されたメタデータの中に含まれるダウンロード指定タイミングにおいて、取得すべきコンテンツとメタデータの更新分とが、ネットワークを介してサーバから取得されて、保持される。
【００３３】
本発明のコンテンツ供給装置および方法、並びにプログラムにおいては、ネットワークを介してコンテンツ処理装置のユーザとコンテンツの供給が契約され、契約内容を特定できる契約ＩＤと、コンテンツ処理装置に配信すべきコンテンツに関するメタデータの取得先を示すメタデータ位置情報とが、ネットワークを介してコンテンツ処理装置に通知され、メタデータ位置情報に基づくコンテンツ処理装置からの取得要求に対応して、コンテンツ処理装置に配信すべきコンテンツに関するメタデータが、ネットワークを介してコンテンツ処理装置に供給される。さらに、メタデータの中に含まれるダウンロード指定タイミングにおけるコンテンツ処理装置からの取得要求に対応して、契約ＩＤに対応するコンテンツとメタデータの更新分とが、ネットワークを介してコンテンツ処理装置に供給される。
【発明の効果】
【００３４】
本発明によれば、ネットワークを介して取得したコンテンツデータを、ユーザの操作に遅延なく速やかに利用することが可能となる。
【発明を実施するための最良の形態】
【００３５】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。したがって、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００３６】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００３７】
本発明のコンテンツ配信システム（例えば、図１のコンテンツ配信システム１１）は、サーバ（例えば、図１のサーバ３）が、ネットワーク（例えば、図１のインタネット１）を介してコンテンツ処理装置（例えば、図１のＤＴＶ２）のユーザとコンテンツの供給を契約し、契約内容を特定できる契約ＩＤ（例えば、パッケージＩＤ）を発行する契約手段（例えば、図５のステップＳ１の処理を行う図２のショップサーバ７１）と、契約ＩＤと、コンテンツ処理装置に配信すべきコンテンツに関するメタデータの取得先を示すメタデータ位置情報（例えば、図６のパッケージ情報ファイルに含まれるメタデータＤＢのURL）とを、ネットワークを介してコンテンツ処理装置に通知する通知手段（例えば、図５のステップＳ１５の処理を行う図２のショップサーバ７１）と、メタデータ位置情報に基づくコンテンツ処理装置からの取得要求に対応して、コンテンツ処理装置に配信すべきコンテンツに関するメタデータ（例えば、図７のメタデータ）を、ネットワークを介してコンテンツ処理装置に供給する第１の供給手段（例えば、図５のステップＳ３１の処理を行う図２のメタデータデータベース７３）と、メタデータの中に含まれるダウンロード指定タイミング（例えば、図８のパッケージメタに含まれるコンテンツダウンロード時刻指定情報および更新メタデータダウンロード時刻指定情報）におけるコンテンツ処理装置からの取得要求に対応して、契約ＩＤに対応するコンテンツとメタデータの更新分とを、ネットワークを介してコンテンツ処理装置に供給する第２の供給手段（例えば、図５のステップＳ５１の処理を行う図２のコンテンツサーバ７５）とを含み、コンテンツ処理装置が、サーバから通知されたメタデータ位置情報に基づき、サーバから取得すべきコンテンツに関するメタデータを、ネットワークを介してサーバに要求する第１の要求手段（例えば、図５のステップＳ３の処理を行う図２のダウンロードエージェント３０）と、第１の要求手段による要求に対応してサーバから供給されたメタデータに基づき、メタデータの中に含まれるダウンロード指定タイミングにおいて、取得すべきコンテンツとメタデータの更新分とを、ネットワークを介してサーバに要求する第２の要求手段（例えば、図５のステップＳ４３の処理を行う図２のクライアントアプリケーション２８）と、第２の要求手段による要求に対応してサーバから供給されたコンテンツを、メタデータの中に含まれる記録位置指定情報に対応するディレクトリに保持する保持手段（例えば、図５のステップＳ５１の処理を行う図２のコンテンツ記憶部２７）とを含むことを特徴とする。
【００３８】
本発明のコンテンツ配信方法は、サーバ（例えば、図１のサーバ３）における、ネットワーク（例えば、図１のインタネット１）を介してコンテンツ処理装置（例えば、図１のＤＴＶ２）のユーザとコンテンツの供給を契約し、契約内容を特定できる契約ＩＤ（例えば、パッケージＩＤ）を発行する契約ステップ（例えば、図５のステップＳ１）と、サーバにおける、契約ＩＤと、コンテンツ処理装置に配信すべきコンテンツに関するメタデータの取得先を示すメタデータ位置情報（例えば、図６のパッケージ情報ファイルに含まれるメタデータＤＢのURL）とを、ネットワークを介してコンテンツ処理装置に通知する通知ステップ（例えば、図５のステップＳ１５）と、コンテンツ処理装置における、サーバから通知されたメタデータ位置情報に基づき、サーバから取得すべきコンテンツに関するメタデータ（例えば、図７のメタデータ）を、ネットワークを介してサーバに要求する第１の要求ステップ（例えば、図５のステップＳ３）と、サーバにおける、コンテンツ処理装置からの要求に対応して、コンテンツ処理装置に配信すべきコンテンツに関するメタデータを、ネットワークを介してコンテンツ処理装置に供給する第１の供給ステップ（例えば、図５のステップＳ３１）と、コンテンツ処理装置における、サーバから供給されたメタデータの中に含まれるダウンロード指定タイミング（例えば、図８のパッケージメタに含まれるコンテンツダウンロード時刻指定情報および更新メタデータダウンロード時刻指定情報）において、取得すべきコンテンツとメタデータの更新分とを、ネットワークを介してサーバに要求する第２の要求ステップ（例えば、図５のステップＳ４３）と、サーバにおける、コンテンツ処理装置からの要求に対応して、契約ＩＤに対応するコンテンツとメタデータの更新分とを、ネットワークを介してコンテンツ処理装置に供給する第２の供給ステップ（例えば、図５のステップＳ５１）と、コンテンツ処理装置における、サーバから供給されたコンテンツを、メタデータの中に含まれる記録位置指定情報に対応するディレクトリに保持する保持ステップ（例えば、図５のステップＳ５１）とを含むことを特徴とする。
【００３９】
本発明のコンテンツ処理装置（例えば、図１のＤＴＶ２）は、コンテンツの供給に関する契約を行うために、ネットワーク（例えば、図１のインタネット１）を介してサーバ（例えば、図１のサーバ３）に接続する接続手段（例えば、図５のステップＳ１の処理を行う図２のブラウザ２３）と、ネットワークを介してサーバから、コンテンツの供給に関する契約内容を特定する契約ＩＤ（例えば、パッケージＩＤ）と、サーバから取得すべきコンテンツに関するメタデータの取得先を示すメタデータ位置情報（例えば、図６のパッケージ情報ファイルに含まれるメタデータＤＢのURL）とを受信する受信手段（例えば、図５のステップＳ１５の処理を行う図２のブラウザ２３）と、受信手段によって受信されたメタデータ位置情報に基づき、サーバから取得すべきコンテンツに関するメタデータ（例えば、図７のメタデータ）を、ネットワークを介してサーバから取得する第１の取得手段（例えば、図５のステップＳ３の処理を行う図２のダウンロードエージェント３０）と、第１の取得手段によってサーバから取得されたメタデータの中に含まれるダウンロード指定タイミング（例えば、図８のパッケージメタに含まれるコンテンツダウンロード時刻指定情報および更新メタデータダウンロード時刻指定情報）において、取得すべきコンテンツとメタデータの更新分とを、ネットワークを介してサーバから取得する第２の取得手段（例えば、図５のステップＳ４４の処理を行う図２のダウンロードエージェント３０）と、第２の取得手段によってサーバから取得されたコンテンツを保持する保持手段（例えば、図５のステップＳ５１の処理を行う図２のコンテンツ記憶部２７）とを含むことを特徴とする。
【００４０】
前記保持手段は、第１の取得手段によってサーバから取得されたメタデータの中に含まれる記録位置指定情報（例えば、図８のパッケージメタに含まれる記録ディレクトリ指定情報）に対応するディレクトリに、第２の取得手段によってサーバから取得されたコンテンツを保持するようにすることができる。
【００４１】
前記受信手段は、ネットワークを介してサーバから、契約ＩＤに対応する、取得すべきコンテンツを利用するために必要なライセンスを特定するライセンスＩＤが記載されたライセンスＩＤリスト（例えば、図６のパッケージ情報ファイルに含まれるライセンスＩＤリスト）と、ライセンスＩＤリストに記載されたライセンスＩＤに対応するライセンスの取得先を示すライセンス位置情報（例えば、図６のパッケージ情報ファイルに含まれるDRMサーバのURL）も受信するようにすることができる。受信手段によって受信されたライセンスリストおよびライセンス位置情報に基づき、サーバから取得すべきコンテンツを利用するために必要なライセンスを、ネットワークを介してサーバから取得する第３の取得手段（例えば、図５のステップＳ２の処理を行う図２のDRMクライアント２６）をさらに含むことができる。
【００４２】
本発明のコンテンツ処理方法は、コンテンツの供給に関する契約を行うために、ネットワーク（例えば、図１のインタネット１）を介してサーバ（例えば、図１のサーバ３）に接続する接続ステップ（例えば、図５のステップＳ１）と、ネットワークを介してサーバから、コンテンツの供給に関する契約内容を特定する契約ＩＤ（例えば、パッケージＩＤ）と、サーバから取得すべきコンテンツに関するメタデータの取得先を示すメタデータ位置情報（例えば、図６のパッケージ情報ファイルに含まれるメタデータＤＢのURL）とを受信する受信ステップ（例えば、図５のステップＳ１５）と、受信ステップの処理で受信されたメタデータ位置情報に基づき、サーバから取得すべきコンテンツに関するメタデータ（例えば、図７のメタデータ）を、ネットワークを介してサーバから取得する第１の取得ステップ（例えば、図５のステップＳ３）と、第１の取得ステップの処理でサーバから取得されたメタデータの中に含まれるダウンロード指定タイミング（例えば、図８のパッケージメタに含まれるコンテンツダウンロード時刻指定情報および更新メタデータダウンロード時刻指定情報）において、取得すべきコンテンツとメタデータの更新分とを、ネットワークを介してサーバから取得する第２の取得ステップ（例えば、図５のステップＳ４４）と、第２の取得ステップの処理でサーバから取得されたコンテンツを保持する保持ステップ（例えば、図５のステップＳ５１）とを含むことを特徴とする。
【００４３】
本発明のコンテンツ供給装置（例えば、図１のサーバ３）は、ネットワーク（例えば、図１のインタネット１）を介してコンテンツ処理装置（例えば、図１のＤＴＶ２）のユーザとコンテンツの供給を契約し、契約内容を特定できる契約ＩＤ（例えば、パッケージＩＤ）を発行する契約手段（例えば、図５のステップＳ１の処理を行う図２のショップサーバ７１）と、契約ＩＤと、コンテンツ処理装置に配信すべきコンテンツに関するメタデータの取得先を示すメタデータ位置情報（例えば、図６のパッケージ情報ファイルに含まれるメタデータＤＢのURL）とを、ネットワークを介してコンテンツ処理装置に通知する通知手段（例えば、図５のステップＳ１５の処理を行う図２のショップサーバ７１）と、メタデータ位置情報に基づくコンテンツ処理装置からの取得要求に対応して、コンテンツ処理装置に配信すべきコンテンツに関するメタデータ（例えば、図７のメタデータ）を、ネットワークを介してコンテンツ処理装置に供給する第１の供給手段（例えば、図５のステップＳ３１の処理を行う図２のメタデータデータベース７３）と、メタデータの中に含まれるダウンロード指定タイミング（例えば、図８のパッケージメタに含まれるコンテンツダウンロード時刻指定情報および更新メタデータダウンロード時刻指定情報）におけるコンテンツ処理装置からの取得要求に対応して、契約ＩＤに対応するコンテンツとメタデータの更新分とを、ネットワークを介してコンテンツ処理装置に供給する第２の供給手段（例えば、図５のステップＳ５１の処理を行う図２のコンテンツサーバ７５）とを含むことを特徴とする。
【００４４】
前記第１の供給手段は、第２の供給手段によってコンテンツ処理装置に供給するコンテンツの記録位置指定情報（例えば、図８のパッケージメタに含まれる記録ディレクトリ指定情報）を含むメタデータを、ネットワークを介してコンテンツ処理装置に供給するようにすることができる。
【００４５】
前記通知手段は、契約ＩＤに対応する、供給すべきコンテンツを利用するために必要なライセンスを特定するライセンスＩＤが記載されたライセンスＩＤリスト（例えば、図６のパッケージ情報ファイルに含まれるライセンスＩＤリスト）と、ライセンスＩＤリストに記載されたライセンスＩＤに対応するライセンスの取得先を示すライセンス位置情報（例えば、図６のパッケージ情報ファイルに含まれるDRMサーバのURL）も、ネットワークを介してコンテンツ処理装置に通知するようにすることができる。ライセンスリストおよびライセンス位置情報に基づくコンテンツ処理装置からの取得要求に対応して、コンテンツ処理装置に配信すべきコンテンツを利用するために必要なライセンスを、ネットワークを介してコンテンツ処理装置に供給する第３の供給手段（例えば、図５のステップＳ２１の処理を行う図２のDRMサーバ７４）をさらに含むことができる。
【００４６】
本発明のコンテンツ供給方法は、ネットワーク（例えば、図１のインタネット１）を介してコンテンツ処理装置（例えば、図１のＤＴＶ２）のユーザとコンテンツの供給を契約し、契約内容を特定できる契約ＩＤ（例えば、パッケージＩＤ）を発行する契約ステップ（例えば、図５のステップＳ１）と、契約ＩＤと、コンテンツ処理装置に配信すべきコンテンツに関するメタデータの取得先を示すメタデータ位置情報（例えば、図６のパッケージ情報ファイルに含まれるメタデータＤＢのURL）とを、ネットワークを介してコンテンツ処理装置に通知する通知ステップ（例えば、図５のステップＳ１５）と、メタデータ位置情報に基づくコンテンツ処理装置からの取得要求に対応して、コンテンツ処理装置に配信すべきコンテンツに関するメタデータ（例えば、図７のメタデータ）を、ネットワークを介してコンテンツ処理装置に供給する第１の供給ステップ（例えば、図５のステップＳ３１）と、メタデータの中に含まれるダウンロード指定タイミング（例えば、図８のパッケージメタに含まれるコンテンツダウンロード時刻指定情報および更新メタデータダウンロード時刻指定情報）におけるコンテンツ処理装置からの取得要求に対応して、契約ＩＤに対応するコンテンツとメタデータの更新分とを、ネットワークを介してコンテンツ処理装置に供給する第２の供給ステップ（例えば、図５のステップＳ５１）とを含むことを特徴とする。
【００４７】
なお、本発明の第１および第２の記録媒体のプログラム、並びに第１および第２のプログラムの請求項に記載の構成要件と、発明の実施の形態における具体例との対応関係は、それぞれ上述した本発明のコンテンツ処理方法またはコンテンツ供給方法のものと同様であるので、その記載は省略する。
【００４８】
以下、本発明の実施の形態について説明する。図１は、本発明を適用したコンテンツ配信システムの構成例を示している。このコンテンツ配信システム１１は、代表的なネットワークとしてのインタネット１を介して相互に接続されたディジタルテレビジョン受像機（ＤＴＶ）２−１，２−２とサーバ３とによって構成される。
【００４９】
インタネット１には、また、放送局４も接続されている。ディジタルテレビジョン受像機２−１，２−２は、例えば、家庭、職場等に配置されており、放送局４から放送されるテレビジョン放送の電波を受信して、テレビジョン番組を視聴する機能を有している他、インタネット１を介するプッシュ型ダウンロード配信によってサーバ３からコンテンツを取得し、再生する機能も有している。さらに、通常のダウンロード配信やストリーミング配信によってコンテンツを取得し、再生する機能も有している。
【００５０】
サーバ３は、放送局４が放送した番組を受信し、そのＡＶデータをコンテンツとして保持する。あるいはまた、サーバ３は、放送局４からインタネット１を介して、番組を構成するＡＶデータの提供を受け、これをコンテンツとして保持する。もちろん、サーバ３は、この他、独自に作成したり、取得したりしたコンテンツを保持することもできる。
【００５１】
なお、図１には、２台のディジタルテレビジョン受像機２−１，２−２と、１台のサーバ３のみが図示されているが、ディジタルテレビジョン受像機２−１，２−２は、一般的には、より多くの台数が存在する。サーバ３は、複数台であってもよい。
【００５２】
なお、以下においては、ディジタルテレビジョン受像機２−１，２−２を個々に区別する必要がない場合、単に、ＤＴＶ２と記述する。
【００５３】
図２は、ＤＴＶ２とサーバ３の構成例を示している。
【００５４】
ＤＴＶ２は、入力部２１、呈示部２２、ブラウザ２３、コンテンツ再生部２４、DRMエージェント２５、DRMクライアント２６、コンテンツ記憶部２７、クライアントアプリケーション２８、クライアントメタデータデータベース（以下、クライアントメタデータＤＢと記述する）２９、ダウンロード（ＤＬ）エージェント３０、およびパッケージ情報処理エージェント３１から構成される。
【００５５】
入力部２１は、ユーザからの各種の指令を入力する。呈示部２２は、コンテンツを再生した結果得られる画像を表示したり、音声を出力したりする。また、呈示部２２は、また、ブラウザ２３に対する操作画面やその他の各種の情報をユーザに呈示する。
【００５６】
ブラウザ２３は、サーバ３を構成するショップサーバ７１から供給される、コンテンツの取得に関する画面を表示させるためのHTML(Hyper Text Markup Language)文書（CSS(Cascading Style Sheets)を含む）からなるナビゲーション情報を解析し呈示部２２に呈示させるとともに、HTMLに含まれるスクリプトの実行を行う。また、ブラウザ２３は、同様に、BML(Broadcast Markup Language)文書（CSSを含む）からなるナビゲーション情報を解析し呈示部２２に呈示させるとともに、BMLに含まれるスクリプトの実行を行う。この他、コンテントガード社のXrML(eXtensible rights Markup Language)に対応することもできる。また、ブラウザ２３は、サーバ３を構成する決済サーバ７２と通信して、コンテンツ購入に関わる決済を行う。
【００５７】
コンテンツ再生部２４は、ブラウザ２３またはクライアントアプリケーション２８からの再生指示に対応して、サーバ３を構成するコンテンツサーバ７５からストリーミング配信されるコンテンツや、コンテンツサーバ７５からダウンロードされコンテンツ記憶部２７に保持されているコンテンツを再生する。
【００５８】
DRMエージェント２５は、ブラウザ２３やクライアントアプリケーション２８からの依頼に対応し、DRMクライアント２６にDRM処理を実行させる。このDRM処理とは、コンテンツを再生するために必要なライセンスの取得処理、ユーザがライセンスを有する適正なユーザであるのか否かの認証処理、暗号化されているデータを復号するのに必要な鍵の取得・付与処理、その他のライセンスの管理に必要な処理が含まれる。DRMクライアント２６は、DRMエージェントからの指示に従い、サーバ３を構成するDRMサーバ７４と通信して、DRM処理を行う。
【００５９】
コンテンツ記憶部２７は、例えば、ハードディスク等で構成され、サーバ３のコンテンツサーバ７５から、通常のダウンロードまたはプッシュ式ダウンロードによって取得されるコンテンツを記憶する。
【００６０】
クライアントアプリケーション２８は、各種のソフトウェアにより構成され、ユーザインタフェースとして各種の機能のメニューをユーザの提供する他、ＤＴＶ２の各種の動作を制御する。例えば、ブラウザ２３の起動、コンテンツ再生部２４に対する再生指示、サーバ３を構成するメタデータデータベース（以下、メタデータＤＢと記述する）７３からのメタデータの取得、クライアントメタデータＤＢ２９に保持されたメタデータの検索等を行う。クライアントメタデータＤＢ２９は、サーバ３のメタデータＤＢ７３から供給されるメタデータを保持する。
【００６１】
ダウンロードエージェント３０は、ブラウザ２３またはクライアントアプリケーション２８からの指示に従い、サーバ３を構成するコンテンツサーバ７５から、コンテンツをダウンロードして、コンテンツ記憶部２７に記憶させる。また、ダウンロードエージェント３０は、メタデータＤＢ７３から、ダウンロードしているコンテンツに関するメタデータを取得して、クライアントメタデータＤＢ２９に保持させる。
【００６２】
パッケージ情報処理エージェント３１は、ブラウザ２３のヘルパアプリケーションであり、コンテンツの販売単位であるパッケージに関するライセンスの取得を、DRMエージェント２５に依頼する。
【００６３】
サーバ３は、ショップサーバ７１、決済サーバ７２、メタデータＤＢ７３、DRMサーバ７４、コンテンツサーバ７５、およびドメインサーバ７６から構成される。
【００６４】
ショップサーバ７１は、ブラウザ２３からインタネット１を介してアクセスを受けたとき、HTML文書またはBML文書からなるナビゲーション情報をブラウザ２３に提供する。
【００６５】
決済サーバ７２は、ブラウザ２３と通信し、決済処理を行う。また、決済サーバ７２は、ショップサーバ７１からの決済処理依頼に基づいて、決済処理を行い、その決済結果をショップサーバ７１に出力する。
【００６６】
メタデータＤＢ７３は、クライアントアプリケーション２８からのメタデータ取得依頼に基づいて、予め供給されて記憶しているメタデータを読み出し、ＤＴＶ２のクライアントメタデータＤＢ２９に供給して記憶させる。また、メタデータＤＢ７３は、ショップサーバ７１からのメタデータ検索依頼に基づいて、検索して得られたメタデータをショップサーバ７１に供給する。
【００６７】
なお、メタデータには、パッケージメタ、ライセンスメタ、サブライセンスメタ、インスタンスメタ、およびコンテンツメタ等が存在する。パッケージメタは、購入の単位となるパッケージの属性情報であり、主にパッケージ購入時のナビゲーション情報として用いられる。ライセンスメタは、主にライセンス単位での利用条件の呈示、ライセンスの取得に用いられる。サブライセンスメタは、主に、サブライセンスに対応する利用条件の呈示と、サブライセンスの特定に用いられる。インスタンスメタは、コンテンツの取得と再生への誘導に用いられる。コンテンツメタは、コンテンツの属性情報であり、コンテンツの検索等に用いられる。
【００６８】
DRMサーバ７４は、ショップサーバ７１からのライセンス発行許可要請に基づいて、ＤＴＶ２のDRMクライアント２６と通信し、DRM処理を実行する。正しいDRM処理が実行できたとき、DRMサーバ７４は、コンテンツサーバ７５にコンテンツを暗号化するためのコンテンツキーＫｃを供給する。また、DRMサーバ７４は、正しいDRM処理が実行できたとき、ＤＴＶ２のDRMクライアント２６に、対応するライセンス（詳細は後述する）を供給する。
【００６９】
コンテンツサーバ７５は、ＤＴＶ２に供給すべきコンテンツを保持しており、DRMサーバ７４より供給されたコンテンツキーＫｃを用いて、ＤＴＶ２から要求されたコンテンツを暗号化し、コンテンツ再生部２４にストリーミング配信するか、または、ダウンロードのファイルとしてコンテンツ記憶部２７に配信し、記憶させる。
【００７０】
ドメインサーバ７６は、ショップサーバ７１からの登録依頼に対応し、ＤＴＶ２のユーザに対してドメインＩＤを発行して管理する。また、ショップサーバ７１からのドメインＩＤの検索依頼に基づいて、検索結果をショップサーバ７１に供給する。
【００７１】
なお、図２の例では、サーバ３を複数のサーバで構成するようにしたが、１つのサーバで構成することも、もちろん可能である。
【００７２】
次に、図３は、サーバ３からインタネット１を介してＤＴＶ２に供給されるコンテンツのライセンスについて説明する。ユーザは、１以上のコンテンツから構成されるパッケージを購入単位として、サーバ３と購入の契約を行い、コンテンツを単位として、プッシュ型ダウンロードや通常のダウンロードやストリーミング配信等を要求する。
【００７３】
パッケージを構成する各コンテンツは、その主要素であるコンテンツリソースファイル（図４に示す）がコンテンツ鍵Ｋｃによって暗号化され、ワーク鍵Ｋｗによって暗号化されたサブライセンスが包含されて、ユーザ側すなわちＤＴＶ２に供給される。サブライセンスは、対応するコンテンツの利用に関する条件を示す第２の利用条件と、対応するコンテンツの暗号を復号するためのコンテンツ鍵Ｋｃとから構成される。
【００７４】
暗号化されたサブライセンスを復号するためのワーク鍵Ｋｗは、パッケージに１対１に対応付けられているメインライセンスに含まれている。メインライセンスは、コンテンツとは別に供給される。メインライセンスには、ワーク鍵Ｋｗの他、パッケージの利用に関する条件を示す第１の利用条件が含まれている。
【００７５】
ユーザ側すなわちＤＴＶ２では、メインライセンスに含まれるワーク鍵Ｋｗを用いて、暗号化されているサブライセンスが復号され、その結果得られるコンテンツ鍵Ｋｃを用いて、暗号化されているコンテンツが復号され、再生が行われる。
【００７６】
次に、図４は、１つのコンテンツを構成する要素を示している。１つのコンテンツは、１以上のファイルからなるコンテンツリソースファイル、コンテンツ起動文書、ダウンロード制御ファイル、DRM情報参照ファイル、１以上のサブライセンスファイルから構成される。
【００７７】
コンテンツ鍵Ｋｃによって暗号化されているコンテンツリソースファイルは、当該コンテンツの主要をなすものであり、MPEG２方式等のフォーマットに従うＡＶデータである。コンテンツ起動文書は、コンテンツリソースファイルの再生に遷移するためのものであり、当該コンテンツの起動時に最初に実行される。
【００７８】
ダウンロード制御ファイルは、当該コンテンツがダウンロードされるときに参照されるものであり、ダウンロードを行うための情報によって構成される。contents IDは、当該コンテンツの識別情報である。license Query URLは、ライセンスに関する問い合わせ先を示す情報である。license URLは、メインライセンスの取得先を示す情報である。Resourcesは、当該コンテンツに含まれるコンテンツリソースファイルを特定するためのリソース名とリソースＩＤからなる情報である。
【００７９】
DRM情報参照ファイルには、当該コンテンツに関するDRM処理（暗号されたコンテンツリソースファイルの復号等）に必要なライセンスのリストが記載されている。ライセンスのリストを構成する各情報は、ライセンスの識別情報であるlicense IDおよびサブライセンスが存在しないことを示す情報type１、または、ライセンスの識別情報であるlicense ID、サブライセンスが存在することを示す情報type２、およびサブライセンス名を示すsublicenseから構成される。
【００８０】
ワーク鍵Ｋｗによって暗号化されているサブライセンスは、ライセンスの識別情報であるlicense ID、当該コンテンツの識別情報であるcontents ID、当該コンテンツの利用に関する第２の利用条件、およびコンテンツ暗号されたコンテンツリソースファイルの復号に用いるコンテンツ鍵Ｋｃによって構成される。
【００８１】
次に、ＤＴＶ２がプッシュ型ダウンロード配信により、インタネット１を介してサーバ３からコンテンツを取得する処理について、図５を参照して説明する。なお、ＤＴＶ２のユーザは、サーバ３に対して基本的なユーザ登録を済ませており、ユーザＩＤおよびドメインＩＤの発行を受け、決済情報（クレジットカード番号、銀行口座番号等）を既に通知しているものとする。
【００８２】
ステップＳ１において、ＤＴＶ２のブラウザ２３は、ユーザの操作に対応して、プッシュ型ダウンロード配信サービスに契約するためにショップサーバ７１にアクセスし、当該サービスに契約するための登録情報（ユーザを特定する情報（ユーザＩＤ）、購入するパッケージを特定する情報（パッケージＩＤ）等）を、ショップサーバ７１に送信する。これに対応してショップサーバ７１は、ステップＳ１１において、決済サーバ７２に接続し、ブラウザ２３から送信された、ユーザＩＤおよびパッケージＩＤを通知して、当該契約に関する決済を依頼する。
【００８３】
決済サーバ７２から決済が正常に行われた旨が通知された後、ショップサーバ７１は、ステップＳ１２において、ドメインサーバ７６にユーザＩＤを通知して、ドメインサーバ７６においてユーザＩＤに対応して予め生成されているドメインＩＤ（当該ユーザに対して与えられるライセンスの移動が許可されるＤＴＶ２等の端末装置の集合に対して付与される識別情報）を取得する。
【００８４】
ステップＳ１３において、ショップサーバ７１は、メタデータＤＢ７３に接続し、ブラウザ２３から通知されたパッケージＩＤを通知して、パッケージＩＤによって特定されるパッケージに対応するライセンスＩＤリスト（当該パッケージに関わるライセンスを特定するライセンスＩＤのリスト）を取得する。
【００８５】
ステップＳ１４において、ショップサーバ７１は、取得したドメインＩＤおよびライセンスＩＤリストを、DRMサーバ７４に転送する。これに対応して、DRMサーバ７４は、転送されたドメインＩＤとライセンスＩＤリストを対応付けて記憶する。ステップＳ１５において、ショップサーバ７１は、ＤＴＶ２のブラウザ２３がパッケージ情報ファイルを取得するために必要な情報を含む、当該契約の登録が完了した旨を示す情報を、ブラウザ２３に通知する。この通知に対応し、ブラウザ２３は、登録と決済の完了をユーザに呈示させるとともに、ショップサーバ７１に接続してパッケージ情報ファイルを取得する。
【００８６】
図６は、ブラウザ２３がショップサーバ７１から取得したパッケージ情報ファイルの構成を示している。パッケージ情報ファイルには、契約されたパッケージに対応するライセンスＩＤリスト、ライセンスの取得先であるDRMサーバ７４のURL、およびメタデータの取得先であるメタデータＤＢ７３のURLが含まれている。
【００８７】
図５に戻る。パッケージ情報ファイルを取得したブラウザ２３は、ステップＳ２において、ヘルパアプリケーションとしてパッケージ情報処理エージェント３１を起動する。パッケージ情報処理エージェント３１は、取得されたパッケージ情報ファイルに含まれるライセンスＩＤリストおよびDRMサーバ７４のURL、並びにユーザに対応するドメインＩＤを、DRMエージェント２５を介してDRMクライアント２６に通知し、ライセンスの取得を依頼する。この依頼に対応して、DRMクライアント２６は、DRMサーバ７４に接続して、ライセンスＩＤリストおよびドメインＩＤを送信し、ライセンスＩＤリストに記載されたライセンスの取得を要求する。
【００８８】
この要求に対応し、ステップＳ２１において、DRMサーバ７４は、送信されたドメインＩＤが送信元のＤＴＶ２に対して正規に発行させたものであって、かつ、送信されたライセンスＩＤリストに記載されたライセンスが、送信されたドメインＩＤに対して供給が許可されているものであるか否かを判断し、両条件が満たされた場合、DRMクライアント２６からの要求が正当なものであると判断して、ライセンスＩＤリストに記載されているライセンスを、DRMクライアント２６に供給する。DRMクライアント２６は、供給されたライセンスをセキュアに保管し、ライセンスの取得完了をDRMエージェント２５に通知する。
【００８９】
ステップＳ３において、パッケージ情報処理エージェント３１は、パッケージ情報ファイルに含まれるメタデータＤＢ７３のURLに基づき、メタデータＤＢ７３に接続して、図７に示す各種のメタデータの取得を要求する。すなわち、契約されたパッケージに対応するパッケージメタおよびライセンスメタ、並びに、現時点でプッシュ型ダウンロードの対象とされているコンテンツに対応するサブライセンスメタ、インスタンスメタ、およびコンテンツメタの取得をメタデータＤＢ７３に要求する。この要求に対応し、ステップＳ３１において、メタデータＤＢ７３は、要求されたメタデータをＤＴＶ２のクライアントメタデータＤＢ２９に供給し、保持させる。この時点で、パッケージ情報処理エージェント３１による処理は終了される。
【００９０】
なお、クライアントメタデータＤＢ２９に登録されたメタデータに含まれるパッケージメタには、図８に示すように、コンテンツダウンロード時刻指定情報、更新メタデータダウンロード時刻指定情報、記録ディレクトリ指定情報、パッケージ利用条件等が含まれている。
【００９１】
コンテンツダウンロード時刻指定情報は、プッシュ型ダウンロードによってコンテンツを取得する時刻を指定する情報である。なお、この時刻は、複数のＤＴＶ２から短期間にアクセスが集中してコンテンツサーバ７５が過負荷とならないように、適切に分散されて指定されている。
【００９２】
更新メタデータダウンロード時刻指定情報は、更新されたメタデータを取得する時刻を指定する情報である。なお、この時刻は、複数のＤＴＶ２から短期間にアクセスが集中してメタデータＤＢ７３が過負荷とならないように、適切に分散されて指定されている。
【００９３】
記録ディレクトリ指定情報は、プッシュ型ダウンロードによって取得したコンテンツを格納する、コンテンツ記憶部２７のディレクトリを指定する情報である。パッケージの利用に関する条件が示す情報である。
【００９４】
図５に戻る。ステップＳ３１に処理が終了された後、パッケージメタの更新メタデータダウンロード時刻指定情報によって指定される時刻（例えば、毎日０時）になると、クライアントアプリケーション２８が起動される。クライアントアプリケーション２８は、ステップＳ４１において、メタデータＤＢ７３にアクセスして、契約されたパッケージに対応するパッケージメタのうち、更新された分の取得を要求する。この要求に対応し、ステップＳ３２において、メタデータＤＢ７３は、要求された更新されているメタデータをクライアントメタデータＤＢ２９に供給し、保持させる。
【００９５】
ステップＳ４２において、クライアントアプリケーション２８は、クライアントメタデータＤＢ２９に保持されている、契約されたパッケージに関するメタデータに基づき、プッシュ型ダウンロードすべきコンテンツであって未取得のものを取得するために、未取得のコンテンツのうちの１つ（以下、ダウンロードするコンテンツと記述する）を指定し、ステップＳ４３において、コンテンツサーバ７５にアクセスして、ダウンロードするコンテンツの構成要素であるダウンロード制御ファイルを取得する。クライアントアプリケーション２８は、取得したダウンロード制御ファイルをダウンロードエージェント３０に供給して、当該コンテンツのダウンロードを依頼する。
【００９６】
ステップＳ４４において、ダウンロードエージェント３０は、ダウンロードの準備として、コンテンツ記憶部２７の空き容量の確認する処理、ダウンロードするコンテンツの格納場所を示すディレクトリ情報を作成してメタデータの一部として保持する処理、ライセンスが取得済であることを確認する処理等を行う。次に、ダウンロードエージェント３０は、コンテンツサーバ７５にアクセスして、ダウンロードするコンテンツの構成要素であるDRM情報参照ファイルおよびダウンロード制御ファイルを取得し、さらに、DRM情報参照ファイルおよびダウンロード制御ファイルに基づき、当該コンテンツのその他の構成要素（コンテンツ起動文書、コンテンツリソースファイル、サブライセンス）を要求する。
【００９７】
この要求に対応し、ステップＳ５１において、コンテンツサーバ７５は、当該コンテンツのその他の構成要素（コンテンツ起動文書、コンテンツリソースファイル、サブライセンス）をコンテンツ記憶部２７に供給する。コンテンツ記憶部２７は、パッケージメタの記録ディレクトリ指定情報によって指定されたディレクトリに、供給されたコンテンツを格納する。
【００９８】
この後、プッシュ型ダウンロードすべきコンテンツが全て取得されるまで、処理はステップＳ４２に戻り、それ以降の処理が繰り返され、プッシュ型ダウンロードすべきコンテンツが全て取得された場合、一連のプッシュ型ダウンロードの処理が終了される。
【００９９】
なお、上述したコンテンツのプッシュ型ダウンロードが行われている期間においては、ユーザの所定の操作に対応して、プッシュ型ダウンロードの進捗状況を呈示するようにしてもよい。
【０１００】
以上説明したように、本発明を適用したコンテンツ配信システム１１によれば、プッシュ型ダウンロードサービスの契約が行われた後は、ＤＴＶ２が、ユーザの操作を必要とすることなく自律的にコンテンツをダウンロードし、コンテンツ記憶部２７に蓄積されることになる。
【０１０１】
クライアントアプリケーション２８は、蓄積されたコンテンツを、利用可能なコンテンツとしてユーザに呈示する。この呈示に基づき、ユーザがコンテンツを選択して利用を指示した場合、クライアントアプリケーション２８は、DRMエージェント２５を介してDRMクライアント２６にライセンス確認を依頼する。DRMクライアント２６によってライセンス確認がとれた場合、コンテンツ再生部２４は、コンテンツ記憶部２７に保持されている、選択されたコンテンツを再生する。
【０１０２】
したがって、ユーザは、コンテンツのダウンロードに要する時間を意識することなく、購入したパッケージに対応するコンテンツを、操作に対して遅延なく速やかに利用することができるようになる。
【０１０３】
以上においては、本発明をＤＴＶに応用した場合を例として説明したが、本発明は、ビデオカセットレコーダ、テレビチューナ、ハードディスクレコーダ、DVD(Digital Versatile Disk)レコーダ、その他各種のコンテンツ処理装置に適用することが可能である。
【０１０４】
また、配信するコンテンツは、テレビジョン放送の番組に限らず、各種のコンテンツとすることができる。
【０１０５】
ところで、上述した一連の処理は、ハードウェアにより実行させることもできるし、ソフトウェアにより実行させることもできる。この場合、例えば、ＤＴＶには、CPU(Central Processing Unit)等が搭載されたコンピュータが搭載され、コンピュータが当該ソフトウェアを実行することになる。
【０１０６】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１０７】
また、本明細書において、システムとは、複数の装置により構成される装置全体を表すものである。
【図面の簡単な説明】
【０１０８】
【図１】本発明を適用したコンテンツ配信システムの構成例を示すブロック図である。
【図２】図１のＤＴＶとサーバの構成例を示すブロック図である。
【図３】サーバからインタネットを介してＤＴＶに供給されるコンテンツのライセンスについて説明するための図である。
【図４】コンテンツの構成例を示す図である。
【図５】プッシュ型ダウンロード配信によりコンテンツを取得する処理を説明するタイミングチャートである。
【図６】パッケージ情報ファイルに含まれる情報の一例を示す図である。
【図７】ＤＴＶによって取得されたメタデータに含まれる情報の一例を示す図である。
【図８】パッケージメタに含まれる情報の一例を示す図である。
【符号の説明】
【０１０９】
１  インタネット，  ２  ＤＴＶ，  ３  サーバ，  ２３  ブラウザ，  ２４  コンテンツ再生部，  ２５  DRMエージェント，  ２６  DRMクライアント，  ２７  コンテンツ記憶部，  ２８  クライアントアプリケーション，  ２９  クライアントメタデータＤＢ，  ３０  ダウンロードエージェント，  ３１  パッケージ情報処理エージェント，  ７１  ショップサーバ，  ７２  決済サーバ，  ７３  メタデータＤＢ，  ７４  DRMサーバ，  ７５  コンテンツサーバ，  ７６  ドメインサーバ
【図１】
2005159930.tif 000003
【図２】
2005159930.tif 000004
【図３】
2005159930.tif 000005
【図４】
2005159930.tif 000006
【図５】
2005159930.tif 000007
【図６】
2005159930.tif 000008
【図７】
2005159930.tif 000009
【図８】
2005159930.tif 000010